(57)【特許請求の範囲】
【請求項１】
システムキッチンのカウンタートップ(10)の装着孔に一列に配列された状態で落とし込み装着される複数の本体ケースと、
各本体ケースの少なくとも上端開放部周縁を各別に覆う状態で前記カウンタートップ(10)上に載置され且つ前記各本体ケースの配列方向に連結される複数の被覆体とを具備する単位調理器具(17)(17)から成る組み合わせ式調理器具であって、
前記装着孔の周壁の一対の対向面に対して各別に接離動作する第１，第２出力部と、これら第１，第２出力部を各別に動作させる第１，第２調節ネジを有する間隔調節手段が前記各本体ケースに設けられている組合せ式調理器具。
【請求項２】
システムキッチンのカウンタートップ(10)に一列に配列された複数の装着孔に各別に落とし込み状態に装着される複数の本体ケースと、
各本体ケースの少なくとも上端開放部周縁を各別に覆う状態で前記カウンタートップ(10)上に載置され且つ前記配列方向に連結される複数の被覆体とを具備する単位調理器具(17)(17)から成る組み合わせ式調理器具であって、
前記各装着孔の周壁のうちの前記連結方向に対向する一対の対向面に対して各別に接離動作する第１，第２出力部と、これら第１，第２出力部を各別に動作させる第１，第２調節ネジを有する間隔調節手段が前記各本体ケースに設けられている組合せ式調理器具。
【請求項３】
前記第１，第２調節ネジは前記本体ケースの側板に螺入され、該第１，第２調節ネジの先端が前記第１，第２出力部となっている請求項１又は請求項２に記載の組合せ式調理器具。
【請求項４】
前記装着孔は平面視が矩形状に形成されており、該矩形状に形成された前記装着孔の周壁の直線部に前記第１，第２出力部が押圧される請求項１から請求項３の何れかに記載の組合せ式調理器具。
【発明の詳細な説明】
【０００１】
【発明の属する技術分野】
本発明は、ドロップインコンロやフライヤー等の単位調理器具を組合せてシステムキッチンのカウンタートップに取付ける組合せ式調理器具に関するものである。
【０００２】
【従来の技術】
発熱能力が異なる複数のドロップインコンロやフライヤー等の単位調理器具を適宜組合せてシステムキッチンのカウンタートップに取付ける組合せ式調理器具として、図８に示す如き形式のものがある。
図９は、図８に現れる左二個の単位調理器具(17)(17)たるドロップインコンロの装着部の拡大断面図であるが、カウンタートップ(10)に開設された装着孔(13)(13)の口縁(14)には本体ケース(18)(18)の上端外周から張り出したフランジ(36)が係合されると共に、該本体ケース(18)(18)の上端開放部は天板(12)(12)で覆われるようになっている。尚、図８の右端に現れる単位調理器具(17)たるフライヤーは、カウンタートップ(10)に取付けられた本体ケース(18)とその上端開放部周縁を覆う頂部枠(15)を具備している。
【０００３】
このものでは、使用者の希望に応じて選択された種々の単位調理器具(17)(17)を組合せてカウンタートップ(10)に取付けられる（図８参照）。
上記従来のものでは、カウンタートップ(10)の上面に露出する各単位調理器具(17)(17)(17)の天板(12)(12)や頂部枠(15)の相互の狭い間隙(11)(11)（一般的には約１０ｍｍ程度）に調理時の煮こぼれが侵入するから、該間隙(11)(11)が清掃しににくいという不都合がある。
【０００４】
上記不都合を防止する為に、天板(12)(12)や頂部枠(15)の相互の間隙(11)(11)にスペーサを介装した状態でこれら天板(12)(12)及び頂部枠(15)を配列方向（カウンタートップ(10)の長手方向）にビス等で締めつけて連結一体化することも考えられる。
【０００５】
【発明が解決しようとする課題】
しかしながら、上記改良案のように天板(12)(12)や頂部枠(15)を配列方向に連結一体化すると、これら天板(12)(12)及び頂部枠(15)の配列ピッチと装着孔(13)(13)に装着された本体ケース(18)(18)の配列ピッチが若干ずれることがあり、これら本体ケース(18)(18)と上記天板(12)(12)等が上下に正確に対応しない。尚、上記天板(12)(12)等と本体ケース(18)(18)が正確に対応しない前記不都合は、カウンタートップ(10)に形成された単一の共通な装着孔(13)に複数の本体ケース(18)(18)を装着する場合も同様に発生する。
【０００６】
本発明は、かかる点に鑑みて成されたもので、各単位調理器具(17)(17)の夫々の本体ケースの上端開放周縁部を覆う天板(12)(12)や頂部枠(15)等の被覆体を連結一体化してこれら相互間に間隙が生じないようにした場合に、これら各被覆体の配列ピッチに合わせて前記各本体ケースの配列ピッチを調節できるようにすることをその課題とする。
【０００７】
【課題を解決するための手段】
上記課題を解決する為の本発明の技術的手段は、
『システムキッチンのカウンタートップ(10)の装着孔に一列に配列された状態で落とし込み装着される複数の本体ケースと、
各本体ケースの少なくとも上端開放部周縁を各別に覆う状態で前記カウンタートップ(10)上に載置され且つ前記各本体ケースの配列方向に連結される複数の被覆体とを具備する単位調理器具(17)(17)から成る組み合わせ式調理器具であって、
前記装着孔の周壁の一対の対向面に対して各別に接離動作する第１，第２出力部と、これら第１，第２出力部を各別に動作させる第１，第２調節ネジを有する間隔調節手段が前記各本体ケースに設けられている』ことである。
【０００８】
上記技術的手段は次のように作用する。
第１，第２調節ネジを回動すると、カウンタートップ(10)に形成された装着孔の周壁のうちの一対の対向面に対して第１，第２出力部が離反又は当接するように移動し、この第１，第２調節ネジの回動によって本体ケースを装着孔に対して所定位置に位置決めすることができる。この作業を各本体ケース毎に行うことにより、本体ケースの配列ピッチを所定に設定することができる。よって、各被覆体の配列ピッチに合わせて本体ケースの配列ピッチを調節することができる。
【０００９】
【発明の効果】
本発明は次の特有の効果を有する。
各本体ケースの上端開放部周縁を覆う各被覆体の配列ピッチに合わせて各本体ケースの配列ピッチが調節できる。従って、各単位調理器具(17)(17)の本体ケースの上端開放周縁部を覆う天板(12)(12)や頂部枠(15)等の被覆体を連結してこれら相互間に間隙が生じないようにしても、これら各被覆体の配列ピッチと前記各本体ケースの配列ピッチを一致させることができる。
【００１０】
＜その他＞
＊ａ項
上記課題を解決する為に、
『システムキッチンのカウンタートップ(10)に一列に配列された複数の装着孔に各別に落とし込み状態に装着される複数の本体ケースと、
各本体ケースの少なくとも上端開放部周縁を各別に覆う状態で前記カウンタートップ(10)上に載置され且つ前記配列方向に連結される複数の被覆体とを具備する単位調理器具(17)(17)から成る組み合わせ式調理器具であって、
前記各装着孔の周壁のうちの前記連結方向に対向する一対の対向面に対して各別に接離動作する第１，第２出力部と、これら第１，第２出力部を各別に動作させる第１，第２調節ネジを有する間隔調節手段が前記各本体ケースに設けられている』構成を採用することも可能である。このものでは、第１，第２調節ネジを回動すると、カウンタートップ(10)に形成された装着孔の周壁のうちの一対の対向面、即ち、カウンタートップ(10)上の各被覆体の連結方向に対向する一対の対向面に対して第１，第２出力部が接離動作する。従って、これら第１，第２出力部が本体ケースから前記周壁に向けて突出する突出長さが変化し、これにより、装着孔に対する本体ケースの位置が変化する。この作業を各本体ケース毎に行うと、これら本体ケースの配列ピッチが、カウンタートップ(10)上の各被覆体の連結方向に向けて変化すると共に、各被覆体の配列ピッチに合わせて本体ケースの配列ピッチが調節される。
＊ｂ項
上記発明において、『前記第１，第２調節ネジは前記本体ケースの側板に螺入され、該第１，第２調節ネジの先端が前記第１，第２出力部である』ものでは、本体ケースの側板に対する上記第１，第２調節ネジの螺入度合いを調節すると、その出力部たる第１，第２調節ネジの先端が装着孔(13)の周壁に接離動作して各本体ケースの配列ピッチが調節できる。
【００１１】
【発明の実施の形態】
次に、上記発明の実施の形態を説明する。
図１は本発明の実施の形態を説明する組合せ式調理器具をシステムキッチンのカウンタートップに装着した状態を示す斜視図であり、フライヤー(5) と中能力ドロップインコンロ(3) 及び大能力ドロップインコンロ(4) がカウンタートップ(10)に落とし込み状態に取付けられている。尚、この実施の形態では、上記フライヤー(5) ，中能力ドロップインコンロ(3) 及び大能力ドロップインコンロ(4) の夫々が既述単位調理器具(17)(17)(17)に対応している。そして、図１，図２に示すように、上記中能力ドロップインコンロ(3) 及び大能力ドロップインコンロ(4) の本体ケース(31)(41)の上端開放部を全体的に覆う天板(32)(42)相互やこれらとフライヤー(5) の頂部枠(52)の間には下方に開放する矩形箱状のスペーサ(84)(84)が配設されるようになっている。尚、本実施の形態では、上記天板(32)(42)及び頂部枠(52)が既述被覆体に対応している。
【００１２】
以下、各部の詳細について更に詳述する。
＊中能力ドロップインコンロ(3) について＊
図２に示すように、中能力ドロップインコンロ(3) は、ガスバーナ(35)(35)を収容した本体ケース(31)と、該本体ケース(31)の上端開放部を覆う天板(32)と、更に、該天板(32)に載置される五徳(34)(34)を具備している。
【００１３】
中能力ドロップインコンロ(3) を構成する本体ケース(31)は上端開放の矩形箱状に形成されていると共に、該本体ケース(31)の上端外周には、カウンタートップ(10)の装着孔(13)の口縁(14)に係合するフランジ(36)が周設されている。
図２及び図３に示すように、上記本体ケース(31)の長辺部側の一対の側板(300) (300) の上辺部近傍には、その長手方向の両端部近傍に位置する螺孔(89)(89)が貫通形成されており、該螺孔(89)(89)には間隔調節手段としての調節ネジ(81)(81)が螺入されている。そして、中能力ドロップインコンロ(3) に於ける本体ケース(31)の胴部(39)をカウンタートップ(10)の装着孔(13)に取付けた状態で調節ネジ(81)(81)を締め付けたときには、該調節ネジ(81)(81)の出力端たる先端が前記装着孔(13)の周壁に接近して押し付けられるようになっている。
【００１４】
上記本体ケース(31)の上端開放部(30)を全体的に覆うように配設される天板(32)は、図２に示すように、中央隆起条(327) を隔てて前後に配設されたバーナ挿通孔(321) (321) を具備する底板(322) と、該底板(322) の外周から屈曲起立する起立板(324) とその上端から外側に張り出す外周フランジ(323) を具備しており、該外周フランジ(323) の外周から垂下する垂下板(325) はカウンタートップ(10)に開設された装着孔(13)の口縁(14)に載置されるようになっている。又、上記垂下板(325) に於ける大能力ドロップインコンロ(4) 側の部分には長手方向の両端近傍に透孔(33)(33)が穿設されている。
【００１５】
又、上記天板(32)のコンロ正面側に対応する部分には、ガスバーナ(35)(35)を点火・消火させたりこれらの火力を調節する為の操作部(326) が設けられており、該操作部(326) と本体ケース(31)内の図示しない制御装置は、図示しないリード線で電気接続されている。
天板(32)に載置装着される二個の五徳(34)(34)は、前記天板(32)の底板(322) に開設されたバーナ挿通孔(321) を包囲するように曲成された正方形状の五徳枠(341) と、該五徳枠(341) からその中心部に向けて延びる爪(342) を具備している。
【００１６】
＊大能力ドロップインコンロ(4) について＊
大能力ドロップインコンロ(4) は、図１，図２に示すように大能力の単一のガスバーナ(45)を備えている点で二個の中能力のガスバーナ(35)(35)を備えている既述中能力ドロップインコンロ(3) と相違している。
この為、上端が開放した矩形箱状の本体ケース(41)の中央部には、大能力のガスバーナ(45)が配設されていると共に、該本体ケース(41)の上端外周にはフランジ(46)が周設されている。又、本体ケース(41)の長辺部側の一対の側板(400) (400) の上辺部近傍には、既述中能力ドロップインコンロ(3) と同様に、長手方向の両端部近傍に位置する螺孔(99)(99)が貫通形成されており、該螺孔(99)(99)には間隔調節手段たる調節ネジ(82)(82)が螺入されている。
【００１７】
上記本体ケース(41)の上端開放部(40)を覆う天板(42)の底板(422) には単一のバーナ挿通孔(421) が開設されていると共に、前記底板(422) の外周から屈曲起立する起立板(424) の上端外周には、カウンタートップ(10)に開設された装着孔(13)の口縁(14)に対して上方から係合する垂下板(425) を具備する外周フランジ(423) が張り出している。又、垂下板(425) の中能力ドロプインコンロ(3) 及びフライヤー(5) 側の長辺部には、透孔(43)(43)が穿設されている。
【００１８】
又、上記天板(42)のコンロ正面側に対応する部分には、ガスバーナ(45)用の操作部(426) が設けられている。
又、上記天板(42)の底板(422) には、五徳枠(441) とその頂部から中心部に向けて延びる爪(442) (442) を具備する五徳(44)が載置されるように成っている。
＊フライヤー(5) について＊
フライヤー(5) は、油槽(53)（図２ではコーナ部を切り欠いて図示している）を具備する上端開放の本体ケース(51)と、該本体ケース(51)の上端開放部(50)周縁を覆うように配設される頂部枠(52)と、更に、該頂部枠(52)の後部に載置される金網(54)を具備している。
【００１９】
本体ケース(51)の上端外周にはフランジ(56)が周設されていると共に、前記本体ケース(51)の長辺部側の一対の側板(500) (500) には、その長手方向の両端部近傍に位置する螺孔(86)(86)が貫通形成されてこれに間隔調節手段たる調節ネジ(87)(87)が螺入されるようになっている。
又、頂部枠(52)を横方向（カウンタートップ(10)の長手方向）に切断した断面形状は図４に示す如く構成されている。即ち、頂部枠(52)の外周には垂下板(525) が屈曲垂下していると共に、その上端から内側に直角に屈曲する水平板(524) の内周には、下方に屈曲する内側垂下板(527) が延長されており、更に該内側垂下板(527) の下端には内側に張り出したフランジ部(528) が設けられている。そして、前記頂部枠(52)の後部側（カウンタートップ(10)の奥側）の一定範囲は、前記フランジ部(528) に載置される金網(54)で覆われている。
【００２０】
又、上記頂部枠(52)の外周から垂下する垂下板(525) のうち、大能力ドロップインコンロ(4) 側の部分には、カウンタートップ(10)の前後方向に間隔を置いて位置する一対の透孔(520) (520) が穿設されている。
＊スペーサ(84)について＊
中能力ドロプインコンロ(3) ，大能力ドロップインコンロ(4) 及びフライヤー(5) の天板(32)(42)及び頂部枠(52)の相互間に充填されるスペーサ(84)(84)は、図５（スペーサ(84)を下方から見上げた状態の斜視図）に示すように、下端が開放する扁平な長方形箱状に形成されている。このスペーサ(84)の長辺部側の一対の側板(841) (842) には、その長手方向の両端近傍に位置する螺孔(843) (843) (844) (844) が形成されており、一方の側板(841) に形成された螺孔(843) (843) と他方の側板(842) に形成された螺孔(844) (844) は互いにスペーサ(84)の幅方向に対向している。又、スペーサ(84)(84)を上記天板(32)(42)及び頂部枠(52)の間に挿入したときには、前者のスペーサ(84)の螺孔(843) (843) (844) (844) が後者の天板(32)等の垂下板(325) (425) (525) の夫々に穿設された透孔(33)(33)，(43)(43)，(520) (520) に一致するようになっている。
【００２１】
＊カウンタートップ(10)について＊
図２に示すように、システムキッチンのカウンタートップ(10)には、中能力ドロプインコンロ(3) ，大能力ドロップインコンロ(4) 及びフライヤー(5) の本体ケース(31)(41)(51)の胴部(39)(49)(59)より一回り大きな長方形の装着孔(13)(13)(13)が所定間隔で形成されている。
【００２２】
＊カウンタートップ(10)への取付け作業＊
次に、上記中能力ドロプインコンロ(3) ，大能力ドロップインコンロ(4) 及びフライヤー(5) をカウンタートップ(10)に取付ける作業を説明する。
先ず、中能力ドロプインコンロ(3) と大能力ドロップインコンロ(4) の天板(32)(42)を幅方向（カウンタートップ(10)の長手方向）に並べ、これにより、これらの外周の垂下板(325) (425) の長辺部が対向した状態にする。次に、前記垂下板(325) (425) の上記対向した長辺部の相互間にスペーサ(84)を挿入し、該垂下板(325) (425) とスペーサ(84)をシールパッキン(85)(85)を介してビス(58)(58)で連結する。
【００２３】
即ち、図３に示すように、中能力ドロプインコンロ(3) の天板(32)の外周に位置する垂下板(325) に形成された透孔(33)(33)からスペーサ(84)の側板(841) に形成された螺孔(843) (843) にビス(58)(58)を螺入して締め付ける。尚、このときには、上記天板(32)とスペーサ(84)の間にシールパッキン(85)を介装させる。他方、大能力ドロップインコンロ(4) の天板(42)の垂下板(425) に形成された透孔(43)(43)からスペーサ(84)に於ける大能力ドロップインコンロ(4) 側の側板(400) に形成された螺孔(844) (844) に上記と同様にビス(58)(58)を螺入する。すると、中能力ドロプインコンロ(3) と大能力ドロップインコンロ(4) の天板(32)(42)がスペーサ(84)を介して連結された状態になる。次に、大能力ドロップインコンロ(4) の天板(42)とフライヤー(5) の頂部枠(52)を上記と同様にスペーサ(84)を介して連結すると、中能力ドロプインコンロ(3) ，大能力ドロップインコンロ(4) 及びフライヤー(5) が一方向に連結された状態になる。
【００２４】
次に、カウンタートップ(10)に開設された装着孔(13)(13)(13)に中能力ドロプインコンロ(3) ，大能力ドロップインコンロ(4) 及びフライヤー(5) の本体ケース(31)(41)(51)を上方から落とし込む。
すると、図３に示すように、本体ケース(31)(41)の長辺部側の側板(300) (400) に取付けられた調節ネジ(81)(81)(82)(82)が、カウンタートップ(10)の装着孔(13)の周壁に対向し、この状態で調節ネジ(81)(81)(82)(82)の螺入度合いを調節する。これにより、上記本体ケース(31)(41)の配列ピッチが調節できる。同様に、フライヤー(5) の本体ケース(51)に設けられた調節ネジ(87)(87)の螺入度合いを調節すると、上記大能力ドロップインコンロ(4) の本体ケース(41)とフライヤー(5) の本体ケース(51)の配列ピッチが調節できる。
【００２５】
上記調節ネジ(81)(82)(87)の螺入度合いを上記のように調節することによって、上記天板(32)(42)及び頂部枠(52)の連結方向に前記本体ケース(31)(41)(51)の配列ピッチを調節し、これにより、天板(32)(42)及び頂部枠(52)の配列ピッチと本体ケース(31)(41)(51)の配列ピッチを一致させる。
次に、スペーサ(84)(84)を介して連結一体化された天板(32)(42)及び頂部枠(52)をカウンタートップ(10)に載置すると共に、これら天板(32)(42)及び頂部枠(52)で上記本体ケース(31)(41)(51)の上端開放部(30)(40)(50)を覆う。すると、図３に示すように、中能力ドロプインコンロ(3) や大能力ドロップインコンロ(4) の本体ケース(31)(41)と上記天板(32)(42)等が上下に正確に対向した状態になる。
［その他］
▲１▼  上記実施の形態では、天板(32)(42)及び頂部枠(52)がスペーサ(84)(84)を介して連結されるようにしたが、天板(32)(42)及び頂部枠(52)をビスで直接連結することもできる。
【００２６】
即ち、中能力ドロプインコンロ(3) ，大能力ドロップインコンロ(4) 及びフライヤー(5) の天板(32)(42)及び頂部枠(52)の横幅（カウンタートップ(10)の長手方向の幅）を上記実施の形態のものより広くし、天板(32)(42)及び頂部枠(52)を直接連結した場合に、これらがカウンタートップ(10)の装着孔(13)(13)(13)の配列ピッチにほぼ一致するようにするのである。
▲２▼  図６に示すように、各単位調理器具の本体ケース(31)(41)(51)の側板下部にスリット(90)を開設し、該スリット(90)にレバー(91)の下端を遊挿すると共に、該レバー(91)の上下方向の中程を調節ネジ(92)で外方に押すようにすることもできる。このものでは、螺孔(93)に対して調節ネジ(92)を螺入すると、その先端で押されて回動するレバー(91)の出力端たる上端(95)がカウンタートップ(10)の装着孔(13)の周壁に押し付けられる。尚、レバー(91)が回動するときには、その上端から突出する円弧状のガイドアーム(96)が本体ケース(31)(41)(51)の側板に形成されたスリット(97)内を摺動し、これにより、レバー(91)の回動動作が安定する。このものでは、調節ネジ(92)とレバー(91)の組み合わせが既述間隔調節手段に対応する。
▲３▼  上記実施の形態では、スペーサ(84)とこれに隣接する天板(32)(42)等をビス(58)(58)で連結したが、図７に示すように、天板(32)(42)の外周の垂下板(325) (425) を外側に切り起こして係合屈曲部(329) (429) を形成する一方、スペーサ(84)の側板(841) (842) に下方に開放する切欠(848) (849) を形成し、これら切欠(848) (849) と係合屈曲部(329) (329) を利用してスペーサ(84)と天板(32)(42)を結合することもできる。即ち、スペーサ(84)の幅と一致する間隔を存して並べた天板(32)(42)の間に前記スペーサ(84)を上方から差し込むことによって、スペーサ(84)の両側板(841) (842) の切欠(848) (849) に係合屈曲部(329) (429) を係合させ、これにより、天板(32)(42)を相互に連結する。
▲４▼  上記実施の形態では、各本体ケース(31)(41)(51)に各別に対応する装着孔(13)(13)(13)をカウンタートップ(10)に開設したが、カウンタートップ(10)に形成された横方向（カウンタートップ(10)の長手方向）に長い単一の装着孔(13)に各本体ケース(31)(41)(51)を一列に並べて装着することもできる。この場合は、各本体ケース(31)(41)(51)に於ける胴部(39)(49)(59)の前後（カウンタートップ(10)の奥行き方向の前後）に位置する一対の側板に調節ネジ(82)(82)を螺入し、各装着孔(13)(13)(13)の周壁のうちの前後方向（カウンタートップ(10)の奥行き方向）に対向する一対の対向面に対して上記調節ネジ(82)(82)の先端を押圧させ、これにより、各本体ケース(31)(41)(51)を所定位置に固定する。
【図面の簡単な説明】
【図１】中能力ドロプインコンロ(3) ，大能力ドロップインコンロ(4) 及びフライヤー(5) を取付けたカウンタートップ(10)の上面の斜視図
【図２】図１の分解斜視図
【図３】中能力ドロプインコンロ(3) と大能力ドロップインコンロ(4) の境界部の断面図
【図４】頂部枠(52)の断面図
【図５】スペーサ(84)を下方から見た状態の斜視図
【図６】間隔調節手段の変形例の要部断面図
【図７】スペーサ(84)の他の例を説明する要部の断面図
【図８】従来例の説明図
【図９】従来例の説明図
【符号の説明】
(10)・・・カウンタートップ
(13)・・・装着孔
(17)・・・単位調理器具
(31)(41)(51)・・・本体ケース
(31)(82)(86)・・・調節ネジ
【図１】
0003650698.tif 000002
【図２】
0003650698.tif 000003
【図３】
0003650698.tif 000004
【図４】
0003650698.tif 000005
【図５】
0003650698.tif 000006
【図６】
0003650698.tif 000007
【図７】
0003650698.tif 000008
【図８】
0003650698.tif 000009
【図９】
0003650698.tif 000010